(57)【特許請求の範囲】
【請求項１】
先端部近傍に周状の溝を有するシフトロッドに装着され、
前記溝に挿入されるための所定形状の穴を有する底面板と、
前記底面板にその端部で連結される上面板と、
前記底面板にその端部で、前記上面板とは別に連結されるバネ部とを有するクリップを、前記シフトロッドの溝に着脱するための工具であって、
先端部がＵ字形状となるような切欠きを有する基板と、
前記基板と所定の位置で回動可能に連結された側面形状がコの字形状を有する押え板とから構成され、
前記基板と前記押え板とが重なった位置で、前記基板の先端と前記押え板との間に所定の隙間が形成されることを特徴とするクリップ着脱工具。
【請求項２】
前記基板のＵ字形状の先端部がテーパ形状であることを特徴とする請求項１記載のクリップ着脱工具。
【発明の詳細な説明】
【技術分野】
【０００１】
本発明は、車に使用されるクリップを着脱するためのクリップ着脱工具に関する。
【背景技術】
【０００２】
従来から、自動車の内部においては種々の締結部品が使用されている。
【０００３】
図４にその一つであるクリップ２０の例を示す、このクリップは図に示すように略コの字形状を有する締結具であり（図４（ｂ））、その構成部材は、底面板２０ａと上面板２０ｂがその端部において連続して連結されている。更に、上面板の一部がバネ部２０ｃとなっており、このバネ部も上面板と同様にその端部において底面板と連続して連結されている。
【０００４】
このバネ部２０ｃと上面板２０ｂの間には所定の隙間が設けられており（図４（ａ））、この為、バネ部と上面板は独立して、図のＡ方向に変位することが可能である（図４（ｄ）参照）。また、底面板２０ａには図４（ｃ）に示したように大小の穴を組み合わせた、いわゆるダルマ形状の穴が打ち抜かれている。
【０００５】
このクリップは前記上面板２０ｂとバネ部２０ｃが弾性（バネ性）を有する必要があるため、その材質は弾性のある金属であることが通例である。
【０００６】
次に図６を参照しながら、このクリップ２０を使って、あるグロメット１５を固定する状態を説明する。図６（ｂ）から分かるようにこのグロメット１５は、シフトロッド４０と固定具３０との連結部において使用されており、クリップ２０はこのグロメットの振動等による脱落を防止する機能を有している。また、図５に示すようにグロメット１５は略円筒の形状を有しており、その中心部は所定の径を有する穴１５ｂが貫通しており（図５（ａ））、その外側壁には所定幅と深さの溝１５ａが形成されている。すなわち、固定具３０はその設けられた穴を介して前記グロメットの溝１５ａにはめ込まれ、シフトロッド４０の端部が前記グロメットの貫通穴１５ｂに挿入された後に、クリップがシフトロッドの先端に切られた溝４０ａ（図６（ｃ））に挿入されることによってグロメットの脱落が防止されるという構造になっている。このとき、シフトロッドの端部はクリップの底面板のダルマ状の穴のうち、小さい穴の方を貫通している。また、同時に、シフトロッドの端部であるＢ部が、クリップのＣ部に突き当たった状態となっている（図６（ａ）、（ｂ））。
【０００７】
このグロメットを交換したい場合には、クリップをまず外す必要がある。このクリップを外す場合、まず、ドライバー等の工具を使ってクリップの上面板２０ｂを図６（ｂ）のＡ方向に変位させつつ、図６（ｂ）のＤ方向に移動させなければならない。このようにすることで、クリップの上面板のＣ部とシフトロッドの端部のＢ部との接触が解除されると共に、クリップのバネ部の弾性作用が緩和され、かつ、シフトレバーの端部が、クリップの底面板のダルマ状穴の大穴部に移動することが可能となるのである。
【０００８】
なお、例えば特許文献１には、クリップ取り外し工具の一例が開示されている。
【特許文献１】特開平１１−１２３６６５号公報
【発明の開示】
【発明が解決しようとする課題】
【０００９】
しかし、上記したようなクリップを外す作業はドライバー等の工具の挿入が容易に行えるような自動車内部の空間が存在する場合には可能であるが、実際には、作業者の両手が入るような空間が存在しない場合が多い。
【００１０】
図７に固定具３０とシフトロッド４０が連結されて実際に車で使用されている状態の一例を示す。固定具の他方の穴はトランスミッション６０に連結され、シフトロッドは種々の機構を介してセレクトレバー５０に連結されている。そして、本トランスミッションが車体に取り付いた状態で、前記グロメットを外すには、車体の底部から作業者が入り、片手を使って作業するというのが実際であり、仮にクリップを外すことが出来たとしても、その外されたクリップが飛んで紛失してしまうという問題があった。
【００１１】
本願の発明は、このような課題を解決するためになされたものであり、両手の入らないような狭い空間であっても容易にグロメットを固定しているクリップを着脱することが可能なクリップ着脱工具を提供することを目的とする。
【課題を解決するための手段】
【００１２】
本発明は、上述の目的を達成するため、以下（１）〜（２）の構成を備えるものである。
【００１３】
（１）先端部近傍に周状の溝を有するシフトロッドに装着され、
前記溝に挿入されるための所定形状の穴を有する底面板と、
前記底面板にその端部で連結される上面板と、
前記底面板にその端部で、前記上面板とは別に連結されるバネ部とを有するクリップを、前記シフトロッドの溝に着脱するための工具であって、
先端部がＵ字形状となるような切欠きを有する基板と、
前記基板と所定の位置で回動可能に連結された側面形状がコの字形状を有する押え板とから構成され、
前記基板と前記押え板とが重なった位置で、前記基板の先端と前記押え板との間に所定の隙間が形成されることを特徴とするクリップ着脱工具。
【００１４】
（２）前記基板のＵ字形状の先端部がテーパ形状であることを特徴とする前記（１）記載のクリップ着脱工具。
【発明の効果】
【００１５】
本発明は、上記構成を有することで、車体の狭い空間に設置されたクリップを片手のみで着脱することが可能なクリップ着脱工具を提供することができる。
【発明を実施するための最良の形態】
【００１６】
以下に、本発明を実施するための最良の形態を、実施例により詳しく説明する。
【実施例】
【００１７】
本実施例における、クリップ着脱工具１０の構成に付いて図１を参照にしながら説明する。
【００１８】
まず、クリップ着脱工具は、基本的には基板１と押え板２によって構成され、この２つの部材は所定位置で回転可能に連結具３により連結されている（図１（ａ））。この基板１の長さは、作業者がクリップの装着された位置までこのクリップ着脱工具によりクリップの着脱が出来る程度の長さが有れば良い。さらに、この基板の先端部は、その形状がＵ字形状になるように切欠きが設けられており、その切欠きの両側の板状体の部分は、その端部においてテーパ形状を有しているものとする。
【００１９】
そして、上記押え板２は、板材を曲げて作成されたものであるが、その側面形状は、略コの字形状を有している。この押え板２を回転させて、基板と重ね合わせた状態とした場合には、図１（ｂ）に示したように、所定の隙間Ａが形成されるようになっている。
【００２０】
図２を参照しながら、クリップを外す場合のクリップ着脱工具の使用状況を説明する。
【００２１】
この場合には、着脱工具のうち押え板２の部材は使用しない。その為、押え具をクリップの外し作業の邪魔にならないよう作業前に所定の角度だけ回転させておく。場合によっては、この押え具を板状体から分離してしまっても良い。図では、押え板２は省略されている。
【００２２】
次に、クリップ着脱工具の基板１の先端部を装着されているクリップの底面板２０ａと上面板２０ｂの間の空間に図のような略斜め方向から挿入する（図２（ａ））。この場合、先端部はＵ字形状に切り欠かれている為、シフトロッドの先端部およびクリップのバネ部２０ｃと干渉することはない。また、基板１の先端部はテーパ状になっている為、クリップの底面板と上面板の間の空間に基板１を容易に挿入することが可能である。
【００２３】
このように基板が挿入されると、図２（ｂ）に示したように基板のテーパ部ではない本体部の厚みによりクリップの上面板２０ｂが押し上げられ、クリップのＣ部とシフトレバー先端部のＢ部との接触がまず解放される。そして、上記状態から基板をさらにＥ方向に押し込む（図２（ｃ））。こうすることで、シフトロッドの柱状先端部は、クリップの底面板のダルマ状穴の大きな穴部に移動すると同時にクリップのバネ部２０ｃの押え力も同時に減少する。すなわち、この状態においては、クリップのバネ部が単にシフトレバーの柱状先端部の端面を押しているだけの状態となっているのである。
【００２４】
最後に、クリップが付いた基板を図の上方向に移動させ（図２（ｄ））、作業者の手許に引き寄せる。この際、クリップが基板１から脱落するということはない。クリップの上面板が基板に弾性を保持したまま密着しているからである。ただ、クリップのバネ部はいわゆる解放状態となっている。
【００２５】
このように、本実施例のクリップ着脱工具の基板の部分を使用すれば、片手しか入らない狭い作業空間しかない場合でも、クリップを容易に外すことが可能となる。
【００２６】
クリップを装着する場合の、クリップ着脱工具の使用状態を図３を参照しながら説明する。まず、クリップを工具の基板の先端部に装着する。この場合、押え板２は邪魔にならないよう回転された状態となっている。
【００２７】
クリップの押え板を回転させ、クリップの装着された基板１と押え板２が重なるようにする（図３（ａ））。このとき、クリップ２０の端部と押え板２の間は少しの隙間があり、接触はしていない。
【００２８】
次にクリップの底面板のダルマ形状の穴の大きな穴部にシフトロッドの先端部を合わせるように、クリップが装着されたクリップ着脱工具をかぶせる（図３（ｂ））。
【００２９】
クリップの底面板がシフトレバーの先端部の溝に入ったことを確認した後に、工具を図３（ｃ）のＧ方向に引く。すると、クリップの先端が工具の押え板２によって拘束されている為、シフトロッドの先端部はクリップの底面板のダルマ形状の大穴部から小穴部に移動し、それと同時に、クリップのバネ部の弾性作用が発生するようになり、クリップがシフトロッド先端部にしっかりと固定されることになる。
【００３０】
固定が完了したことを確認した後に、クリップの押え具を所定角度だけ回転させ（図３（ｃ））、そして、工具を図のＧ方向に抜き去る（図３（ｄ））。
【００３１】
このように、片手しか入らない限定された作業空間しかない場合でも、本実施例のクリップ着脱工具を使用すれば簡単にクリップを装着することが可能となる。
【図面の簡単な説明】
【００３２】
【図１】（ａ）実施例のクリップ着脱工具を示す斜視図（ｂ）実施例のクリップ着脱工具の側面図
【図２】実施例のクリップ着脱工具を使ってクリップを外す状態を示す図
【図３】実施例のクリップ着脱工具を使ってクリップを装着する状態を示す図
【図４】実施例のクリップ着脱工具の着脱の対象となるクリップを示す図
【図５】実施例のクリップにより固定されるグロメットを示す図
【図６】クリップがグロメットを固定している状態を示す図
【図７】クリップの使用状態を示す図
【符号の説明】
【００３３】
１    基板
２    押え板
３    連結具
１０  クリップ着脱工具
１５  グロメット
１５ａ  溝
１５ｂ  貫通穴
２０  クリップ
２０ａ  底面板
２０ｂ  上面板
２０ｃ  バネ部
３０  固定具
４０  シフトロッド
５０  セレクトレバー
６０  トランスミッション
【要約】
【課題】両手の入らないような狭い空間であっても容易にグロメットを固定しているクリップを着脱することが可能な、クリップ着脱工具を提供することを目的とする。
【解決手段】先端部近傍に周状の溝を有するシフトロッド４０に装着され、該溝に挿入されるための穴を有する底面板２０ａと、該底面板にその端部で連結される上面板２０ｂと、前記底面板にその端部で、前記上面板とは別に連結されるバネ部２０ｃとを有するクリップ２０を、前記シフトロッドの溝に着脱するための工具であって、シフトロッドに装着されたクリップの底面板と上面板の間に端部が挿入され、かつ先端部が前記連結部の内側に突き当たる基板１と、該基板と所定の位置で回動可能に連結され、クリップをシフトロッドに装着する際に、該クリップの底面板と上面板及びバネ部との連結部を該クリップの外側から押すための押え板２からなることを特徴とするクリップ着脱工具。
【選択図】図１【図１】
0004170382.tif 000002
【図２】
0004170382.tif 000003
【図３】
0004170382.tif 000004
【図４】
0004170382.tif 000005
【図５】
0004170382.tif 000006
【図６】
0004170382.tif 000007
【図７】
0004170382.tif 000008